(57)【要約】【課題】周辺光量落ちをユーザーの希望に応じて調整することが可能な技術の提供。【解決手段】レンズを通過した光を検出する撮影センサーと、前記撮影センサーと前記レンズとの間隔を増減させる移動部と、ユーザーの周辺光量落ちの希望を受け付ける入力部と、前記希望に応じて前記移動部を制御して前記撮影センサーと前記レンズとの間隔を増減させる制御部とを備える撮影装置を構成する。【選択図】図２
2013224996.tif 000002
【特許請求の範囲】
【請求項１】
レンズを通過した光を検出する撮影センサーと、
前記撮影センサーと前記レンズとの間隔を増減させる移動部と、
ユーザーの周辺光量落ちの希望を受け付ける入力部と、
前記希望に応じて前記移動部を制御して前記間隔を増減させる光量落ち制御部と、
を備える撮影装置。
【請求項２】
前記光量落ち制御部は、
前記希望が現在よりも前記周辺光量落ちを増加させる希望である場合に、前記間隔を増加させ、
前記希望が現在よりも前記周辺光量落ちを減少させる希望である場合に、前記間隔を減少させる、
請求項１に記載の撮影装置。
【請求項３】
前記移動部を制御して前記間隔を増減させることで所定の被写体にフォーカスを合わせるフォーカス制御部をさらに備え、
前記光量落ち制御部は、フォーカスを合わせた前記被写体が被写界深度内に収まる範囲内で前記間隔を増減させる、
請求項１または請求項２のいずれかに記載の撮影装置。
【請求項４】
前記入力部は、表示部に表示された前記周辺光量落ちの程度に対応した選択肢の選択を受け付けることによって前記希望を受け付け、
前記光量落ち制御部は、前記撮影センサーと前記レンズとの間隔を前記周辺光量落ちの程度に対応した間隔に設定する、
請求項１〜請求項３のいずれかに記載の撮影装置。
【請求項５】
レンズを通過した光を検出する撮影センサーと、
前記撮影センサーと前記レンズとの間隔を増減させる移動部と、を備える撮影装置における画質調整方法であって、
ユーザーの周辺光量落ちの希望を受け付け入力工程と、
前記希望に応じて前記移動部を制御して前記間隔を増減させる光量落ち制御工程と、
を含む画質調整方法。
【発明の詳細な説明】
【技術分野】
【０００１】
本発明は、撮影装置および画質調整方法に関する。
【背景技術】
【０００２】
レンズを通過した光においては、光軸を中心とした同心円状に明るさが低下する周辺光量落ちが発生することが知られている。従来、周辺光量落ちの程度はレンズの種類に特有であるとされており、一部のユーザーは著名なレンズの周辺光量落ちを好み、当該著名なレンズを使用して撮影を行ってあえて周辺光量落ちが発生した画像を作成することもあった。
【０００３】
なお、特許文献１には、撮像素子をレンズの光軸方向へ移動させて合焦させ、撮影を行う技術が開示されている。
【先行技術文献】
【特許文献】
【０００４】
【特許文献１】特開２００５−１７６９９号公報
【発明の概要】
【発明が解決しようとする課題】
【０００５】
従来の技術において、周辺光量落ちはレンズの種類に特有であるため、周辺光量落ちの程度を好みの状態にするためには、撮影装置に取り付けるレンズを交換する必要があった。なお、特許文献１においては、撮像素子をレンズの光軸方向へ移動させて合焦させ、撮影を行うことが開示されているが、周辺光量落ちの程度を調整する技術については開示されていない。
本発明は上記課題にかんがみてなされたもので、周辺光量落ちをユーザーの希望に応じて調整することが可能な技術を提供することを目的とする。
【課題を解決するための手段】
【０００６】
本発明にかかる撮影装置は、レンズを通過した光を検出する撮影センサーによって撮影を行う撮影装置であり、移動部によって撮影センサーとレンズとの間隔を増減させることが可能である。そして、ユーザーの周辺光量落ちの希望を受け付け、当該希望に応じて移動部を制御して撮影センサーとレンズとの間隔を増減させる。すなわち、周辺光量は、レンズの光軸を中心とした同心円状に低下するとともに、撮影センサーとレンズとの間隔を変化させれば、撮影センサー内の特定位置における周辺光量落ちの程度を変化させることができる。従って、撮影センサーとレンズとの間隔を調整すれば、撮影センサーによって撮影される画像における周辺光量落ちの程度を調整することができる。
【０００７】
そこで、本発明にかかる撮影装置においては、ユーザーの周辺光量落ちの希望に応じて撮影センサーとレンズとの間隔を増減させる。この結果、ユーザーの周辺光量落ちの希望に対応した周辺光量落ちとなるように撮影センサーとレンズとの間隔を増減させることができ、周辺光量落ちがユーザーの希望に応じて調整された状態で画像を撮影することができる。
【０００８】
ここで、撮影センサーは１枚以上のレンズであってレンズの状態（位置等）が可変であるレンズを通過した光を受光するセンサーであれば良く、例えば、受光量に応じた情報を出力する受光素子が２次元的に配置されたセンサーによって構成可能である。
【０００９】
移動部は、撮影センサーとレンズとの間隔を増減させることができればよく、光量落ち制御部の指示に応じて撮影センサーとレンズとの少なくとも一方を移動させることができればよい。撮影センサーとレンズとの間隔を増減させるためには、少なくとも当該間隔の増減によって周辺光量落ちの程度を変化させることができればよく、例えば、光軸方向に沿って撮影センサーとレンズとの少なくとも一方を移動させる構成等を採用可能である。
【００１０】
入力部は、ユーザーの周辺光量落ちの希望を受け付けることができればよく、各種のユーザーインターフェースによって当該希望を受け付ける構成を採用可能である。例えば、現在の周辺光量落ちに対して周辺光量落ちを増減させる指示を受け付ける構成であってもよいし、周辺光量落ちの程度を予め決められた程度とするような指示を受け付ける構成であってもよい。後者としては、例えば、予め決められたプリセットを指示する構成や、予め決められた周辺光量の変化幅の中から希望する周辺光量を指示する構成等を採用可能である。
【００１１】
光量落ち制御部は、ユーザーの周辺光量落ちの希望に応じて移動部を制御して撮影センサーとレンズとの間隔を増減させることができればよく、移動部に対して撮影センサーとレンズとの少なくとも一方を移動させる際の移動量等を指示する制御信号を出力し、移動部が当該制御信号に応じて撮影センサーとレンズとの少なくとも一方を移動させるように構成されていればよい。
【００１２】
さらに、ユーザーの周辺光量落ちの希望に応じて移動部を制御する際の構成例として、光量落ち制御部は、ユーザーの周辺光量落ちの希望が現在よりも周辺光量落ちを増加させる希望である場合に撮影センサーとレンズとの間隔を増加させ、ユーザーの周辺光量落ちの希望が現在よりも周辺光量落ちを減少させる希望である場合に撮影センサーとレンズとの間隔を減少させる構成を採用してもよい。
【００１３】
すなわち、撮影センサーとレンズの間隔が増加すると撮影センサー面に投影されるイメージサークルの周と撮像センサーの周との距離が短くなるため、撮影センサーとレンズの間隔を増加させることにより周辺光量落ちを増加させ、撮影センサーとレンズの間隔を減少させることにより周辺光量落ちを減少させることができる。従って、ユーザーの周辺光量落ちの希望が現在よりも周辺光量落ちを増加させる希望である場合に撮影センサーとレンズとの間隔を増加させ、ユーザーの周辺光量落ちの希望が現在よりも周辺光量落ちを減少させる希望である場合に撮影センサーとレンズとの間隔を減少させる構成により、ユーザーの希望に応じた周辺光量落ちの程度になるようにユーザー自身が周辺光量落ちの程度を増減させることが可能な撮影装置を提供することができる。
【００１４】
さらに、ユーザーの周辺光量落ちの希望に応じて移動部を制御する際の構成例として、表示部に周辺光量落ちの程度に対応した選択肢を表示し、当該選択肢の選択を受け付けることによってユーザーの周辺光量落ちの希望を受け付け、撮影センサーとレンズとの間隔を、受け付けた選択肢が示す周辺光量落ちの程度に対応した間隔に設定する構成としてもよい。
【００１５】
すなわち、予め周辺光量落ちの程度に選択肢を設け、各選択肢に応じた周辺光量落ちの程度となるように予め撮影センサーとレンズとの間隔を規定しておく。そして、選択された選択肢に応じた撮影センサーとレンズとの間隔となるように調整する構成とすれば、ユーザーは当該選択肢を選択するのみで選択された選択肢に応じた周辺光量落ちになるように撮影センサーとレンズとの間隔を調整し、画像を撮影することができる。
【００１６】
さらに、本発明のように、ユーザーの周辺光量落ちの希望に応じて撮影センサーとレンズとの間隔を増減させる手法は、プログラムや方法としても適用可能である。また、以上のような装置、プログラム、方法は、単独の装置として実現される場合もあれば、複合的な機能を有する装置において共有の部品を利用して実現される場合もあり、各種の態様を含むものである。
【図面の簡単な説明】
【００１７】
【図１】本発明の実施形態にかかる撮影装置のブロック図である。
【図２】（２Ａ）レンズと撮影センサーの位置関係を示す図、（２Ｂ）（２Ｃ）（２Ｄ）は、イメージサークルと撮影センサーとの関係を示す図である。
【図３】撮影処理を示すフローチャートである。
【発明を実施するための形態】
【００１８】
ここでは、下記の順序に従って本発明の実施の形態について説明する。
（１）撮影装置の構成：
（２）撮影処理：
（３）他の実施形態：
【００１９】
（１）撮影装置の構成：
図１は本発明の一実施形態にかかる撮影装置１を示しており、当該撮影装置１には、光学系１０、撮影センサー１４、移動部１４ａ、記憶部１５、表示部２０、記録部３０、入力部４０、フォーカス制御部４３、絞り調整部４５、シャッター制御部５０、露光制御部６０、ＣＰＵ７０、画像生成部８０が備えられている。ＣＰＵ７０は、所定のプログラムに従って、移動部１４ａ、フォーカス制御部４３、絞り調整部４５、シャッター制御部５０、露光制御部６０、記憶部１５、画像生成部８０、表示部２０、記録部３０、入力部４０の動作を制御する。
【００２０】
光学系１０は、撮影センサー１４に被写体画像を結像させるレンズ１１、絞り１２、シャッター１３を備えている。本実施形態においてレンズ１１と絞り１２とは鏡筒内に備えられており、当該鏡筒は図示しない筐体に交換可能に取り付けられる。本実施形態において、レンズ１１は光軸に平行な方向に沿って並べられた複数枚のレンズを含むが、図１では簡便のために１枚のレンズのみを表現している。各レンズは外縁部で支持されるとともに、光軸方向に１部又は全部のレンズを移動可能とすることでフォーカス調整を行うことができる。また、光軸方向に１部又は全部のレンズを移動可能とすることで光学的なズーム動作を行うことが可能である。レンズ１１の位置は、フォーカス制御部４３によって制御されるように構成されており、当該フォーカス制御部４３がレンズ位置の調整を指示されると、フォーカス制御部４３がレンズ１１を移動させてフォーカス調整およびズームの程度を調整する。なお、光学系の構成は他の構成を採用しても良く、例えば、レンズを液体レンズによって構成し、レンズを変形させることでフォーカス調整を行い、また、光学的なズーム動作を行う構成としてもよい。
【００２１】
また、本実施形態において、絞り１２は、レンズ１１の光軸に対して垂直な平面内で回動可能に支持された複数の遮蔽板によって構成され、複数の遮蔽板が連動して回動することによって光軸に対して垂直な平面内で遮蔽されていない部分の面積を変化させることが可能である。絞り１２の開口径は絞り調整部４５によって制御されるように構成されており、当該絞り調整部４５が絞り１２の開口径を指示されると、絞り調整部４５が絞り１２を駆動させて当該指示された開口径となるように設定する。
【００２２】
シャッター１３は機械式のフォーカルプレーン型シャッターであり、撮影センサー１４の撮影センサー面に対して平行な平面板状の遮光部としての開閉式（折り畳み式）の複数の遮光幕を備えている。遮光幕はシャッター制御部５０からの制御信号に応じて光軸に対して垂直な方向に移動するように構成されており、通常は遮光幕が光軸に平行な方向の光路を遮らない状態で保持されている。また、遮光幕が光路を遮らない状態で保持されている状態において、所定のトリガが与えられると当該遮光幕が光路を遮らない状態で保持された状態が解除され、遮光幕は光軸に対して垂直な方向に駆動して複数の羽根が光路を遮る状態となる。また、図１においては、遮光幕の移動方向を破線の矢印Ａmで示している。
【００２３】
撮影センサー１４は、ベイヤー配列されたカラーフィルターと、光量に応じた電荷を光電変換によって画素ごとに蓄積する複数の受光素子（フォトダイオード）とを備えるＣＭＯＳ（Complementary Metal Oxide Semiconductor）イメージセンサーである。むろん、撮影センサーはＣＣＤ（Charge Coupled Device）イメージセンサー等の他のセンサーであってもよい。本実施形態にかかる撮影センサー１４は、露光制御部６０がリセット指示を行うことによって受光素子の受光量に対応した蓄積電荷をリセットするリセット動作を行い、各受光素子での露光を開始することができる。また、撮影センサー１４は、露光制御部６０が読出指示を行うことによって受光素子の受光量を示す情報の読出を行うことで露光を終了させることができる。
【００２４】
本実施形態にかかる撮影装置１によって記録用の画像を撮影する際（通常の撮影）には、機械シャッターであるシャッター１３と撮影センサー１４の電子シャッターとの組み合わせによって露光時間を制御する。すなわち、本実施形態において通常の撮影の場合には、撮影センサー１４における電子シャッターで露光を開始させ、シャッター１３の遮光幕で露光を終了させる電子先幕−機械後幕シャッター方式によって露光時間が制御される。具体的には、通常の撮影の場合、電子シャッターによりライン順次で露光が開始され、ライン毎の露光時間が、設定されたシャッター速度となるタイミングで各ラインが遮光されるように機械シャッターによる遮光が開始される。また、撮影装置１においては表示部２０においてライブビュー表示を行うことが可能であり、当該ライブビュー表示を行うための画像を撮影する際には、電子シャッター方式によって露光時間が制御される。すなわち、先幕も後幕も電子シャッターによって制御される。
【００２５】
移動部１４ａは、ＣＰＵ７０からの制御信号に応じた移動量だけ撮影センサー１４をレンズ１１の光軸Ａｓ方向に移動させる。移動部１４ａは、撮影センサー１４を光軸Ａｓ方向に移動させることができればよく、移動のための機構は種々の機構を採用可能である。例えば、撮影センサー１４を支持する部材を光軸Ａｓ方向に延びるレールで支持し、各種のモーター等の駆動源によって撮影センサー１４を支持する部材を当該レールに沿って移動させる構成等を採用可能である。むろん、ボールねじやラックピニオン機構等の他の構成を採用してもよいし、レンズ１１を移動させるための機構と同様の機構であってもよい。
【００２６】
表示部２０は、図示しないインターフェース回路、液晶パネルドライバー、液晶パネル、図示しない接眼レンズ等を備えている。本実施形態において、表示部２０は、撮影対象となる被写体を示す画像を表示してユーザーに撮影前の被写体の様子および撮影条件等の情報を把握させるＥＶＦ（Electronic View Finder）であり、本実施形態にかかる撮影装置１はＥＶＦを備えたミラーレスデジタルカメラである。
【００２７】
記録部３０は、図示しない記録媒体を挿入することが可能であり、記録部３０に記録媒体が挿入された状態で、記録媒体に対して情報を記録し、また、記録媒体から情報を読み出すことができる。すなわち、撮影した画像を示す画像データを記録媒体に記録することができる。なお、記憶部１５は、撮影センサー１４が出力する画像データ（受光素子毎の受光量を示す情報）を一時的に記録しておくメモリである。
【００２８】
画像生成部８０は、撮影センサー１４が出力する画素毎、色毎の受光量情報に対して予め決められた手順によって各種の処理を実行して画像データを生成する回路によって構成されている。当該画像生成部８０が実行する画像処理には、ＡＥ（Automatic Exposure）処理を行うための評価値とＡＦ（Automatic Focus）処理を行うための評価値を出力する処理が含まれる。すなわち、画像生成部８０は、撮影センサー１４による撮影範囲内に設定された所定の測光エリアに含まれる画素の明るさを評価するための評価値（例えば、輝度の平均値等）を特定し、ＡＥ処理を行うための評価値として出力することが可能である。ＣＰＵ７０は、ＡＥ処理を行うための評価値に基づいて絞り調整部４５、シャッター制御部５０、露光制御部６０に制御信号を出力し、適正露出となるように露出を調整する。すなわち、ＣＰＵ７０は、入力部４０における指示やデフォルト設定に基づいて画像データを撮影する際の撮影条件を特定し、当該撮影条件通りに各部を設定する機能を備えている。具体的には、ＣＰＵ７０が上述のＡＥ処理を行うための評価値に基づいて適正露出となるために必要な撮影条件を特定し、当該撮影条件通りに絞り１２、シャッター速度およびシャッター１３の位置が設定されるように、絞り調整部４５、シャッター制御部５０、露光制御部６０に対して制御信号を出力する。なお、適正露出となるための必要な撮影条件は、各種の前提条件（例えば、絞り優先、シャッター速度優先等）において特定可能である。
【００２９】
また、画像生成部８０は、撮影センサー１４による撮影範囲内に設定された所定の測距エリアに含まれる画素の合焦度合いを評価するための評価値（例えば、コントラストの大きさを示す値等）を特定し、ＡＦ処理を行うための評価値として出力することが可能である。ＣＰＵ７０は、ＡＦ処理を行うための評価値に基づいてフォーカス制御部４３に制御信号を出力し、合焦状態となるように露出を調整する。すなわち、ＣＰＵ７０は、上述のＡＦ処理を行うための評価値が合焦状態であることを示す所定範囲となるまでフォーカス制御部４３に対して制御信号を出力してレンズ１１の位置を変動させ、合焦状態を実現する。
【００３０】
入力部４０はシャッターボタンと、撮影モードを切り換えるための入力部と、絞りを切り替えるための入力部と、シャッター速度を切り換えるための入力部と、各種の設定メニューを操作するための入力部と、周辺光量落ちの程度を増減させるための入力部（以下、周辺光量調整ボタンという）とを備えており、ユーザーは当該入力部４０に対する操作によって撮影装置１に対して各種の指示を与えることができる。なお、本実施形態においてシャッターボタンのストローク量は２段階で検出可能である。すなわち、シャッターボタンが半押しされた状態と全押しされた状態とを区別して検出可能である。また、本実施形態においてシャッターボタンが半押しされた場合にはライブビュー表示を継続しながら露出の決定とフォーカス調整を行う指示が行われたと見なされ、シャッターボタンが全押しされた場合には記録媒体に画像を記録する指示が行われたと見なされる。
【００３１】
図１においては、周辺光量調整ボタンの例を入力部４０に付記して示している。すなわち、この例においては、三角形のボタンが２個備えられており、頂点が上方を向く三角形によって周辺光量落ちを増加させる希望を入力し、頂点が下方を向く三角形によって周辺光量落ちを減少させる希望を入力するように構成されている。各ボタンが押された場合、各ボタンを押した状態であることを示す信号がＣＰＵ７０に出力され、ＣＰＵ７０は当該信号に基づいて各ボタンが押された状態と、ボタンの押し込みが解除された状態とを識別する。
【００３２】
図２Ａは、レンズ１１の光軸方向の位置が位置Ｐ1であるとともに撮影センサー１４の光軸方向の位置が複数の位置（位置Ｐ3、位置Ｐ4、位置Ｐ5）である場合を示す模式図である。なお、同図において位置Ｐ2はレンズマウント面の位置であり、レンズ１１は簡単のため１枚として示している。また、図２Ａにおいては、レンズ１１から撮影センサー１４方向に向かう光の端を実線Ｖで示している。従って、レンズ１１からの光が到達し得るイメージサークルは実線Ｖで挟まれた範囲となる。
【００３３】
図２Ｂ、２Ｃ、２Ｄにおいては、撮影センサー１４を光軸方向から見た状態を模式的に示すとともに、各状態における撮影センサー１４の位置のイメージサークルを実線Ｖで示している。また、図２Ｂ、２Ｃ、２Ｄのそれぞれは、撮影センサー１４が位置Ｐ3、位置Ｐ4、位置Ｐ5のそれぞれに存在する場合のイメージサークルＶと撮影センサー１４との関係を示している。レンズ１１は光軸に対して軸対象となるように製造されており、レンズ１１の光軸からの距離が大きくなるほどレンズ１１を通過した光の周辺光量落ちが大きくなる。図２Ｂにおいては、イメージサークルＶの中心Ｏ（光軸の位置に相当）に「明」と記し、中心ＯからイメージサークルＶの周に向けた矢印を示すとともに、矢印の先端付近に「暗」と記しており、矢印によって半径方向に位置が変化するほど明るさが暗くなる周辺光量落ちが発生することを示している。
【００３４】
このように、周辺光量落ちはイメージサークルＶの周に近いほど大きいが、図２Ａ〜２Ｄに示すように撮影センサー１４の位置が位置Ｐ3、位置Ｐ4、位置Ｐ5と変化すると（レンズ１１と撮影センサー１４との間隔が増大するように変化すると）、イメージサークルＶの周が撮影センサー１４の中心Ｏに近づくように変化する。従って、撮影センサー１４内の所定位置における周辺光量落ちの程度を比較すると、撮影センサー１４の位置が位置Ｐ3、位置Ｐ4、位置Ｐ5と変化するにつれて周辺光量落ちの程度が増加する。
【００３５】
例えば、図２Ｂ〜２Ｄに示す位置Ｐ6とイメージサークルＶの周との位置関係を比較すると、位置Ｐ6とイメージサークルＶの周との距離は、図２Ｂが最も大きく、図２Ｃ，２Ｄと変化するに従って、当該距離が小さくなる。従って、図２Ｂ，２Ｃ，２Ｄと変化するに従って周辺光量落ちの程度が大きくなる。すなわち、撮影センサー１４の位置を調整することによって周辺光量落ちの程度を調整することが可能であり、本実施形態においては、レンズ１１と撮影センサー１４との間隔を増加させることによって周辺光量落ちの程度を増加させ、レンズ１１と撮影センサー１４との間隔を減少させることによって周辺光量落ちの程度を減少させることができる。
なおレンズ１１と撮影センサー１４との間隔には、移動部１４ａの機構により必然的に定まる制限と、フォーカスが合っている被写体が所定の余裕をもって被写界深度の範囲内に収まるようにするという制限とを行っている。レンズ１１と撮影センサー１４との間隔を変化させると厳密にはフォーカスの合う位置がずれることになってしまうので、上記の制限をかけることでフォーカスを合わせてユーザーが撮影しようとしている被写体がいわゆるピンボケにならないようにする。
【００３６】
そこで、本実施形態において、周辺光量落ちを増加させる希望を入力するためのボタンが押されていることを示す信号が入力部４０から出力されている場合、ＣＰＵ７０は、移動部１４ａに対して制御信号を出力し、光軸方向に沿ってレンズ１１から遠ざかる方向に撮影センサー１４を移動させる。また、周辺光量落ちを減少させる希望を入力するためのボタンが押されていることを示す信号が入力部４０から出力されている場合、ＣＰＵ７０は、移動部１４ａに対して制御信号を出力し、光軸方向に沿ってレンズ１１に近づく方向に撮影センサー１４を移動させる。従って、ＣＰＵ７０は、光量落ち制御部として機能する。
【００３７】
以上の構成により、本実施形態においては、ユーザーの周辺光量落ちの希望に応じて撮影センサーとレンズとの間隔を増減させ、ユーザーの周辺光量落ちの希望に対応した周辺光量落ちとなるように撮影センサーとレンズとの間隔を増減させることができる。従って、ユーザーが表示部２０を視認しながら希望通りの周辺光量落ちとなるように調整し、撮影を行うことで、ユーザーの希望に応じて周辺光量落ちの程度が調整された状態で画像を撮影することができる。
【００３８】
（２）撮影処理：
次に、実例とともに本実施形態における撮影処理を詳細に説明する。図３は撮影モードに入ることに応じて開始する撮影処理のフローチャートである。ＣＰＵ７０は、通常、表示部２０におけるライブビュー表示を行うための処理を実行している。ここでは、絞り優先モードによって撮影処理を行う場合の例を説明する。絞り優先モードの場合、ＣＰＵ７０は、まず、ユーザーによって設定された絞り１２の設定値に応じた開口径となるように絞り１２を調整する（ステップＳ１００）。すなわち、ユーザーは入力部４０によって予め絞り１２のＦ値を設定する。ＣＰＵ７０は設定通りのＦ値に絞り１２を調整させるための制御信号を絞り調整部４５に出力し、絞り調整部４５は当該絞り１２のＦ値に応じた開口径になるように絞り１２を制御する。
【００３９】
絞り１２の開口径がユーザーによって設定された設定値となるように制御されると、次にＡＥ処理が実行される。すなわち、絞り１２の開口径がユーザーによって設定された設定値となった状態において画像生成部８０は、受光センサーの撮影範囲内に予め設定された測光エリアの画素の明るさを評価するための評価値を特定し、ＣＰＵ７０に対してＡＥ処理を行うための評価値として出力する（ステップＳ１０５）。なお、この段階におけるシャッター速度はデフォルト値（あるいは、前回の撮影の際の設定値）である。
【００４０】
次に、ＣＰＵ７０は、ＡＥ処理を行うための評価値に基づいて適正露出となるようにシャッター速度を調整する（ステップＳ１１０）。すなわち、ＣＰＵ７０は、ＡＥ処理を行うための評価値と予め決められた適正露出範囲とを比較し、ＡＥ処理を行うための評価値が適正露出範囲内に入るために必要なシャッター速度を特定する。そして、ＣＰＵ７０は、当該シャッター速度を示す制御信号を露光制御部６０に対して出力する。この結果、露光制御部６０が受光センサーにおける電子シャッターのシャッター速度を、ＡＥ処理を行うための評価値が適正露出範囲内に入るために必要なシャッター速度となるように調整する。
【００４１】
以上のようなＡＥ処理により、撮影される画像の露出が適正露出となった状態においてＣＰＵ７０は、受光センサーの撮影範囲内に予め設定された測距エリアのコントラストを評価するための評価値を特定し、ＣＰＵ７０に対してＡＦ処理を行うための評価値として出力する（ステップＳ１１５）。そして、ＣＰＵ７０は、当該評価値に基づいてフォーカス制御部４３に制御信号を出力し、当該評価値が所定の合焦範囲に含まれるようにレンズ１１を移動させてフォーカス調整を行う（ステップＳ１２０）。また、ＣＰＵ７０はフォーカス調整前と同程度の周辺光量落ちとなるように、レンズ１１を移動させた距離に応じて撮影センサー１４を光軸方向に移動させるための制御信号を移動部１４ａに対して出力する。ただしフォーカス調整前と同程度の周辺光量落ちとするために、移動部１４ａの機構が撮影センサー１４を移動させることができる範囲内から外れるように移動させる必要がある場合や、フォーカスが合っている被写体が所定の余裕をもって被写界深度の範囲内に収まる状態から外れるようにする必要がある場合には、周辺光量落ちの状態が変化しても、この範囲内に収めることを優先する。
その後、ＣＰＵ７０は、画像生成部８０が生成する画像データを表示部２０受け渡し、表示部２０においてライブビュー表示を継続する。本実施形態においては、このようなライブビュー表示が行われた状態で周辺光量調整ボタンを操作すると、撮影センサー１４にて撮影する画像における周辺光量落ちの程度を調整するように構成されている。
【００４２】
ライブビュー表示が行われている状態においてＣＰＵ７０は、周辺光量調整ボタンが押されたか否かを判定する（ステップＳ１２５）。すなわち、ＣＰＵ７０は、周辺光量落ちを増加させるための周辺光量調整ボタンが押されていることを示す信号（光量落ち増加信号と呼ぶ）、あるいは、周辺光量落ちを減少させるための周辺光量調整ボタンが押されていることを示す信号（光量落ち減少信号と呼ぶ）のいずれかを入力部４０から取得したか否かを判定する。そして、ＣＰＵ７０は、光量落ち増加信号と光量落ち減少信号とのいずれかを検出した場合、周辺光量調整ボタンが押されたと判定する。
【００４３】
ステップＳ１２５において、周辺光量調整ボタンが押されたと判定されない場合、ステップＳ１３０、Ｓ１３５をスキップする。ステップＳ１２５において、周辺光量調整ボタンが押されたと判定された場合、ＣＰＵ７０は、周辺光量調整ボタンによって指示された周辺光量の増減に応じた方向に撮影センサー１４を移動させる（ステップＳ１３０）。すなわち、ステップＳ１２５において、ＣＰＵ７０が入力部４０から光量落ち増加信号を取得した場合、ＣＰＵ７０は、撮影センサー１４を光軸方向に沿ってレンズ１１から所定距離遠ざける方向に移動させるための制御信号を移動部１４ａに対して出力する。この結果、移動部１４ａは、光軸方向に沿ってレンズ１１から所定距離だけ撮影センサー１４を遠ざけるように移動させる。ステップＳ１２５において、ＣＰＵ７０が入力部４０から光量落ち減少信号を取得した場合、ＣＰＵ７０は、撮影センサー１４を光軸方向に沿ってレンズ１１から所定距離近づける方向に移動させるための制御信号を移動部１４ａに対して出力する。この結果、移動部１４ａは、光軸方向に沿ってレンズ１１から所定距離だけ撮影センサー１４を近づけるように移動させる。この結果、ユーザーの指示に応じて周辺光量落ちの程度が変動する。ただし、移動部１４ａの機構が撮影センサー１４を移動させることができる範囲外に移動させるようにユーザーから指示をされた場合や、フォーカスが合っている被写体が所定の余裕をもって被写界深度の範囲内に収まる状態から外れるようにユーザーから指示をされた場合には、ＣＰＵ７０は移動部１４ａに移動させるための制御信号を出力せず、表示部２０にエラー表示をさせる。なお、ユーザーが所謂ピンボケを許容するのであれば、後者の場合であってもＣＰＵ７０が移動部１４ａに移動させるための制御信号を出力してもよい。
【００４４】
次に、ＣＰＵ７０は、周辺光量調整ボタンが押された状態が解除されたか否かを判定する（ステップＳ１３５）。すなわち、ＣＰＵ７０は、光量落ち増加信号、あるいは、光量落ち減少信号のいずれもが入力部４０から取得されない状態となっているか否かを判定する。そして、ＣＰＵ７０は、光量落ち増加信号と光量落ち減少信号とのいずれもが入力部４０から取得されない状態である場合、周辺光量調整ボタンが押された状態が解除されたと判定する。そして、ＣＰＵ７０は、周辺光量調整ボタンが押された状態が解除されたと判定されるまで、ステップＳ１３０以降の処理を繰り返す。
【００４５】
一方、ステップＳ１３５において、周辺光量調整ボタンが押された状態が解除されたと判定された場合、ＣＰＵ７０は、シャッターボタンが半押しされたか否かを判定し（ステップＳ１４０）、半押しされたと判定されない場合、ステップＳ１００以降の処理を繰り返す。一方、ステップＳ１４０にて、シャッターボタンが半押しされたと判定されると、ステップＳ１２０にて調整済みの状態でフォーカスを固定する。むろん、ここでは再度ステップＳ１２０と同様の処理によってフォーカス調整を行った後、フォーカスを固定しても良い。
【００４６】
次に、ＣＰＵ７０は、シャッターボタンが押された状態が解除されたか、あるいは全押しされたか否かを判定し（ステップＳ１４５）、シャッターボタンが解除されたと判定された場合にはステップＳ１００以降の処理を繰り返す。一方、ステップＳ１４５において、シャッターボタンが全押しされたと判定された場合、ＣＰＵ７０は、記録用の画像を撮影し、記録媒体に記録する（ステップＳ１５０）。すなわち、ＣＰＵ７０は、露光制御部６０に対して制御信号を出力して撮影センサー１４における露光を開始させ、シャッター制御部５０に対して制御信号を出力してシャッター１３の移動が開始させる。なお、ここでは、ステップＳ１１０において設定されたシャッター速度に相当する露光時間で露光が終了するように、シャッター１３の移動開始タイミングを調整する。シャッター１３の遮光幕の移動が完了すると、ＣＰＵ７０は、露光制御部６０に制御信号を出力して撮影センサー１４上の全画素からの読出を行う。この結果、撮影センサー１４から記憶部１５に対して画像データが出力されるため、ＣＰＵ７０は、画像生成部８０に対して制御信号を出力し、記憶部１５に出力された画像データに対して所定の画像処理を実行させ、結果を示す画像データを記録部３０に挿入された記録媒体に記録させる。以上の処理によれば、ユーザーが希望する周辺光量落ちの状態で撮影を行うことができる。
【００４７】
（３）他の実施形態：
以上の実施形態は本発明を実施するための一例であり、ユーザーの周辺光量落ちの希望に応じて撮影センサーとレンズとの間隔を増減させる限りにおいて、下記の変形例を適宜組み合わせでも良いし、その他にも種々の実施形態を採用可能である。
【００４８】
例えば、上述の実施形態において表示部２０は液晶パネルを用いたＥＶＦであったが、表示部２０はＥＶＦ以外の表示部、例えば、撮影装置１の背面に取り付けられる液晶パネルを用いた表示部であっても良いし、液晶パネル以外の方式を用いたものであっても良い。また、撮影装置１はミラーを備えた一眼レフカメラでも良く、さらにムービーカメラであっても良いし、撮影機能を備えた携帯電話等の装置であっても良い。さらに、上述の撮影センサー１４において、カラーフィルターはベイヤー配列であったが、ベイヤー配列以外の配列で構成されたセンサーを利用した撮影装置に本発明を適用しても良い。例えば、３ＣＣＤや３層式センサーを利用した撮影装置に本発明を適用しても良い。
【００４９】
さらに、周辺光量落ちの程度やフォーカスを調整するためには撮影センサー１４とレンズ１１との間隔を増減させることができればよく、レンズ１１を移動させてもよいし、撮影センサー１４とレンズ１１との双方を移動させてもよい。例えば、基本的には撮影センサー１４とレンズ１１との一方を移動させて撮影センサー１４とレンズ１１との間隔を増減させ、一方が移動可能範囲の限界まで移動した場合には他方を移動させることで撮影センサー１４とレンズ１１との間隔を増減させてもよい。
さらに、上述の実施形態においては、ライブビュー表示中にシャッターボタンを半押しする前において周辺光量落ちの程度を調整可能に構成されていたが、シャッターボタンを半押しした後に周辺光量落ちの程度を調整可能に構成されていてもよい。さらに、撮影センサー１４の可動範囲は各種の意図に基づいて調整可能であり、例えば、図２Ｄに示すようにイメージサークルＶの周が撮影センサー１４の撮影面の周よりも内側に存在する状態が発生しないように撮影センサー１４の可動範囲を規定してもよい。さらに、上述の撮影処理は絞り優先モードにおける処理であったが、むろん他のモード、例えば、シャッター速度優先モード等において周辺光量落ちの程度を調整可能に構成してもよい。
【００５０】
さらに、周辺光量落ちの程度を調整するためには、上述のような周辺光量調整ボタンによって現在の周辺光量落ちの程度から周辺光量落ちの程度を増減させる指示を行う構成の他、周辺光量落ちの程度が所定の程度となるように指示し、当該指示に応じて撮影センサー１４の位置を調整する構成を採用してもよい。例えば、表示部２０において、著名なレンズの名称を選択肢として表示し、入力部４０において当該選択肢を選択できるように構成する。また、予め各選択肢が示すレンズにおける周辺光量落ちの程度と同等の周辺光量落ちの程度となるような撮影センサー１４の位置を特定し、図示しないメモリに記録しておく。
【００５１】
そして、入力部４０において選択肢が選択された場合、ＣＰＵ７０が、選択された選択肢が示すレンズにおける周辺光量落ちの程度と同等の周辺光量落ちの程度となるような撮影センサー１４の位置をメモリに記録された情報に基づいて特定し、当該位置に撮影センサー１４を移動させるように移動部１４ａに制御信号を出力する構成とする。この構成によれば、ユーザーが選択肢を選択するのみでユーザーが希望するレンズと同様の周辺光量落ちが生じた画像を撮影することが可能である。
【符号の説明】
【００５２】
１０…光学系、１１…レンズ、１２…絞り、１３…シャッター、１４…撮影センサー、１４ａ…移動部、１５…記憶部、２０…表示部、３０…記録部、４０…入力部、４０…入力部、４３…フォーカス制御部、４５…絞り調整部、５０…シャッター制御部、６０…露光制御部、７０…ＣＰＵ、８０…画像生成部
【図１】
2013224996.tif 000003
【図２】
2013224996.tif 000004
【図３】
2013224996.tif 000005